(57)【要約】【課題】  接続した無線通信網の情報を適切に記憶し、ネットワークからの切断後に再接続を行う場合の無線通信網の選択を迅速に行うことができる移動端末を提供すること。【解決手段】  接続した無線通信網情報を記憶するＭＲＵリストに対して、ネットワークからの切断処理を行うときに、現在待ち受け処理を行っているアクセス方式以外に、同期処理を行っている回線交換方式サービスを提供するためのアクセス方式があれば、そのアクセス方式の無線通信網情報をＭＲＵリストの最上位に記憶させる。【選択図】  図４
2010081256.tif 000002
【特許請求の範囲】
【請求項１】
無線通信網の基地局と無線通信方式によって通信を行う無線通信手段を複数有し、そのうちの少なくとも１つの無線通信手段は回線交換方式サービスを提供するための無線通信手段である移動端末であって、
無線通信網の情報を記憶する記憶手段と、
１つの無線通信網との通信を行うための待ち受け処理を行うとともに、回線交換方式サービスを提供する他の無線通信網との同期処理を行っているときに、同期処理を行っている回線交換方式サービスを提供する無線通信網の情報を前記記憶手段に記憶するよう制御する制御手段とを有することを特徴とする移動端末。
【請求項２】
前記制御手段は、待ち受け処理を行っている無線通信網または同期処理を行っている回線交換方式サービスを提供する無線通信網に対するデタッチ処理が行われるときに、同期処理を行っている回線交換方式サービスを提供する無線通信網の情報を前記記憶手段に記憶するよう制御することを特徴とする請求項１に記載の移動端末。
【請求項３】
前記制御手段は、待ち受け処理を行っている無線通信網に対するデタッチ処理が行われたときに、同期処理を行っている回線交換方式サービスを提供する無線通信網の情報を前記記憶手段に記憶するよう制御することを特徴とする請求項１に記載の移動端末。
【請求項４】
前記制御手段は、前記記憶手段に対して記憶させる無線通信網に関する情報が既に記憶手段に記憶されている場合は、その無線通信網に関する情報を追加登録はしないことを特徴とする請求項１に記載の移動端末。
【請求項５】
前記記憶手段は、無線通信網の情報を順位とともに記憶し、
前記制御手段は、待ち受け処理を行っている無線通信網に対するデタッチ処理が行われたときに、同期処理を行っている回線交換方式サービスを提供する無線通信網の情報を前記記憶手段で上位の順位に記憶するよう制御することを特徴とする請求項１に記載の移動端末。
【請求項６】
前記記憶手段は、無線通信網の情報を順位とともに記憶し、
前記制御手段は、前記記憶手段に対して記憶させる無線通信網に関する情報が既に記憶手段に記憶されている場合は、当該無線通信網に関する情報が上位の順位となるよう、順位の変更を行って記憶させるよう制御することを特徴とする請求項１に記載の移動端末。
【請求項７】
前記記憶手段は、無線通信網の情報を順位とともに記憶し、
前記制御手段は、前記記憶手段の最上位の順位に記憶させる無線通信網の情報と同じネットワークＩＤを有する無線通信網の情報が記憶手段に登録されていれば、その無線通信網の情報が前記記憶手段の上位の順位となるよう順位付けして前記記憶手段に記憶するよう制御することを特徴とする請求項１に記載の移動端末。
【請求項８】
前記制御手段は、前記最上位の順位に記憶させる無線通信網の情報と同じネットワークＩＤを有する無線通信網の情報が記憶手段に複数登録されていれば、前記最上位の順位に記憶させる無線通信網の情報と異なる通信方式を有する情報がより上位となるよう順位付けして前記記憶手段に記憶するよう制御することを特徴とする請求項５乃至請求項７のいずれか１項に記載の移動端末。
【請求項９】
前記記憶手段は、異なる無線通信方式の無線通信網の情報であっても同じ記憶エリアに記憶することを特徴とする請求項１乃至請求項８のいずれか１項に記載の移動端末。
【請求項１０】
前記記憶手段に記憶された情報の上位から順に無線通信網選択を試みる無線通信網選択手段と、
前記記憶手段に記憶された情報のうち上位から所定数以内に選択を試みようとしている無線通信網が含まれているか否かに応じて無線通信網探索の頻度を変更する探索頻度変更手段とを更に有することを特徴とする請求項５乃至請求項８のいずれか１項に記載の移動端末。
【請求項１１】
前記記憶手段に記憶された情報の上位から順に無線通信網選択を試みる無線通信網選択手段と、
前記記憶手段の上位から２番目に選択を試みようとしている無線通信網の情報が記憶されているか否かに応じて無線通信網探索の頻度を変更する探索頻度変更手段とを更に有することを特徴とする請求項５乃至請求項８のいずれか１項に記載の移動端末。
【請求項１２】
現在待ち受け処理を行っている無線通信方式とは異なる無線通信方式の無線通信網探索の実行判断を、探索を行うか判断対象の無線通信方式を有する無線通信網が前記記憶手段の最上位を除いた上位から所定数以内に記憶されているか否かに応じて行う探索判断手段を更に有することを特徴とする請求項５乃至請求項８のいずれか１項に記載の移動端末。
【請求項１３】
現在待ち受け処理を行っている無線通信方式とは異なる無線通信方式の無線通信網探索の実行判断を、探索を行うか判断対象の無線通信方式を有する無線通信網が前記記憶手段の最上位を除いた上位から１番目に記憶されているか否かに応じて行う探索判断手段を更に有することを特徴とする請求項５乃至請求項８のいずれか１項に記載の移動端末。
【請求項１４】
第１の無線通信網の基地局と第１の無線通信方式によって通信を行う第１の無線通信手段と、
回線交換方式サービスを有する第２の無線通信網の基地局と第２の無線通信方式によって通信を行う第２の無線通信手段と、
前記第１の無線通信網の情報を記憶する第１の記憶手段と、
前記第２の無線通信網の情報を記憶する第２の記憶手段と、
前記第１の無線通信手段によって第１の無線通信網との通信を行うための待ち受け処理を行っているときに、第１の無線通信網のデタッチ処理が行われると、待ち受け処理を行っている第１の無線通信網の情報を第１の記憶手段に記憶させ、第２の無線通信手段によって同期処理が行われているならば、当該第２の無線通信網の情報を第２の記憶手段に記憶させるよう制御する制御手段を有することを特徴とする移動端末。
【請求項１５】
前記制御手段は、前記第１の無線通信網のデタッチ処理が行われたときに、第２の無線通信手段によって同期処理が行われていない場合には、前記第２の記憶手段に同期が行われていなかったことを示す所定の情報を記憶させるよう制御する制御手段を有することを特徴とする請求項１４に記載の移動端末。
【請求項１６】
前記第１の記憶手段と前記第２の記憶手段とのうち、第２の記憶手段に記憶された情報を優先的に選択して無線通信網の選択を実行する無線通信網選択手段を更に有することを特徴とする請求項１４または請求項１５に記載の移動端末。
【請求項１７】
前記第１の記憶手段と前記第２の記憶手段とのうち、第２の記憶手段に記憶された情報を優先的に選択し、前記第２の記憶手段に同期が行われていなかったことを示す所定の情報が記憶されていた場合には前記第２の記憶手段に記憶された情報は選択しないシステム選択手段を更に有することを特徴とする請求項１５に記載の移動端末。
【請求項１８】
前記制御手段は、前記第１の記憶手段又は前記第２の記憶手段に無線通信網の情報を追加する際、第１の記憶手段または第２の記憶手段に追加する無線通信網の情報と同じネットワークＩＤを有する無線通信網の情報が含まれる場合には、このネットワークＩＤが一致する情報を第１の記憶手段または第２の記憶手段の上位に記憶するよう制御することを特徴とする請求項１４に記載の移動端末。
【請求項１９】
前記制御部は、前記第１の無線通信網へのデタッチ処理と前記第２の無線通信網へのデタッチをそれぞれ実行し、前記第１の記憶手段および前記第２の記憶手段に無線通信網の情報を記憶させるよう制御することを特徴とする請求項１４に記載の移動端末。
【発明の詳細な説明】
【技術分野】
【０００１】
本発明は移動端末に関する。
【背景技術】
【０００２】
無線通信端末は、電源が投入されると、無線通信網を選択して接続を開始する。このとき、接続可能な無線通信網の探索には時間がかかるとともに、電力消費量も大きい。そこで、最近移動端末１が無線通信網と接続を実施したことのある無線通信網の接続モード（mode）、周波数帯（band）、使用チャネル番号（channel）などの情報を記憶するリスト
であるＭＲＵ（Most Recently Used）を用いて無線通信網の選択を行う（非特許文献１参照）。なお、接続した無線通信網の情報のＭＲＵへの追加は、無線通信網に属する基地局への同期と待ち受けに必要な情報の受信が完了した場合や、無線通信網のシステム識別子（System Identification：SID）とネットワーク識別子（Network Identification：NID
）が変更となった無線通信網に在圏した場合に行う。
【０００３】
また、電源投入時の無線通信網選択を迅速に行うために、接続する無線通信網の情報を電源切断時に記憶する技術も提案されている（特許文献１参照）。
【非特許文献１】CDMA Development Group Document #143
【特許文献１】特開２００４−２９７７８４号公報
【発明の開示】
【発明が解決しようとする課題】
【０００４】
しかしながら、非特許文献１によれば、無線通信網への同期および報知情報の受信が完了した時点で接続先の情報がＭＲＵに登録される。しかしながら、電源投入時にこのＭＲＵに登録された情報を用いて無線通信網選択を実施しようとしても、正しく選択できない場合がある。例えば、端末の電源を切断し、電源切断中に移動し、記憶している無線通信網とは別の無線通信網でサービスが行われている移動先で端末の電源を再度投入するような場合、ＭＲＵに記憶された情報はすでに有効ではないため、記憶されている情報を上位から順に試行することによって選択しなければならず、無線通信網への接続が遅延する。
【０００５】
それに対して、特許文献１に記載される発明では、電源を切断するときに現在の無線通信網の情報を基地局レベルの識別情報まで含めて記憶するようにしている。しかしながら、複数の無線通信方式の無線通信網がアクセスエリアを重ねて存在するような場合には、必ずしも最後に待ち受けた無線通信網の情報を用いて無線通信網選択を行うことが適切とはいえない。例えば、ＷＣＤＭＡ（Wide band Code Division Multiple Access）による
基地局とＧＳＭ（Global System for Mobile communications）による基地局とで構成さ
れるアクセスエリアで構成される、統合された移動体通信システムにおいて、ＷＣＤＭＡでの待ち受け処理ばかりを実施し、電源を切断すると、ＭＲＵにＷＣＤＭＡの基地局の情報ばかりが蓄積されていくことが考えられる。そのため、電源切断後の移動先でＧＳＭしか存在しないような場合には、このＭＲＵに登録された情報が有効ではなくなる。これによって、無駄なセル選択のための探索が発生し、ＧＳＭセルへの接続が遅延する。
【０００６】
そこで本発明は、接続した無線通信網の情報を適切に記憶し、移動体通信システムからの切断後に再接続を行う場合の無線通信網選択を迅速に行うことができる移動端末を提供することを目的とする。
【課題を解決するための手段】
【０００７】
上記目的を達成するために、本発明による移動端末は、無線通信網の基地局と無線通信方式によって通信を行う無線通信手段を複数有し、そのうちの少なくとも１つの無線通信手段は回線交換方式サービスを提供するための無線通信手段である移動端末であって、無線通信網の情報を記憶する記憶手段と、１つの無線通信網との通信を行うための待ち受け処理を行うとともに、回線交換方式サービスを提供する他の無線通信網との同期処理を行っているときに、同期処理を行っている回線交換方式サービスを提供する無線通信網の情報を前記記憶手段に記憶するよう制御する制御手段とを有することを特徴としている。
【発明の効果】
【０００８】
本発明によれば、接続した無線通信網の情報を適切に記憶し、移動体通信システムからの切断後に再接続を行う場合の無線通信網選択を迅速に行うことができる移動端末を提供することができる。
【発明を実施するための最良の形態】
【０００９】
以下、本発明の実施形態について図面を参照して説明する。
【実施例１】
【００１０】
本発明の実施形態の一例である移動端末は、複数種類の無線通信方式（以下、アクセス方式）の同期を取ることができる。ここでは、２種類のアクセス方式の同期を取る場合を例にして説明する。第１のアクセス方式は、端末に提供される通信速度が高速である反面、基地局展開が発展途上であるために、移動端末が無線通信接続可能な範囲（以下、アクセスエリア）が限られているような新規のアクセス方式である。それに対して、第２のアクセス方式は、回線交換サービスを提供するためのアクセス方式であって、第１のアクセス方式と比較して通信速度では劣り、提供できるサービスが限られるものの、基地局展開が完了していることにより、基本的な音声通話などのアクセスエリアが広く展開されている従来から用いられているアクセス方式である。
【００１１】
図１は、本発明の移動端末が接続を実施する、移動体通信システムが提供しているアクセスエリアを図示したもので、新規のアクセス方式による通信を提供可能なアクセスエリアＡと従来からのアクセス方式による通信を提供可能なアクセスエリアＢの関係を示した図である。図１に示すように、アクセスエリアＢはアクセスエリアＡよりも広範囲に渡り、アクセスエリアＢには含まれるがアクセスエリアＡには含まれないエリアが存在する。
【００１２】
そこで、移動端末１は、所在するエリアに応じて、新規のアクセス方式または従来からのアクセス方式で基地局（図示せず）と無線接続を行うことで、音声通話、パケット通信などのサービスを受けることができる。
【００１３】
例えば、図１中の場所（１）は、アクセスエリアＡとアクセスエリアＢの両方のアクセスエリアに入っているため、移動端末１が場所（１）に存在する場合には、新規のアクセス方式と従来からのアクセス方式の両方のサービスを受けることが可能である。このとき、移動端末１では、より高速な新規のアクセス方式によって通信を行うよう選択し、新規のアクセス方式によって待ち受けを実施し、発着信等のサービスを受ける。それとともに、従来からのアクセス方式によるサービスの開始に備えて、従来からのアクセス方式に必要な同期処理を取得しておくことにより、回線交換方式サービスによる音声通話など、従来からのアクセス方式特有のサービスを開始したい場合や、新規のアクセス方式のエリア外に移動したとしても、従来からのアクセス方式によるサービスへすばやく切り換えることができる。
【００１４】
一方、図１中の場所（２）は、アクセスエリアＡには入っておらず、アクセスエリアＢだけに入っている。そのため、移動端末１が場所（２）に存在する場合は、新規のアクセス方式によるサービスは受けることができない。そこで、移動端末１は、従来からのアクセス方式によるサービスを受けるべく、従来からのアクセス方式によって待ち受け処理を実施する。
【００１５】
なお、新規のアクセス方式とは例えば、第３．９世代の通信方式であるＬＴＥ（Long Term Evolution）アクセス方式であり、従来からのアクセス方式とは例えば、第３世代の
通信方式であるｃｄｍａ２０００アクセス方式やＷＣＤＭＡアクセス方式である。
【００１６】
図２は、本実施形態の移動端末の構成を示すブロック図である。本実施形態の移動端末１は、電池２から電力の供給を得て動作し、制御部５１、送受信部５２、信号処理部５３、Ｃｏｄｅｃ部５４、表示部５５、操作部５６、記憶部５７、電源制御部５８、計時部を有する。
【００１７】
制御部５１は移動端末１全体の制御を行う。制御部５１は、ＣＰＵ、ＲＯＭ、ＲＡＭなどから構成される。ＣＰＵは、ＲＯＭに記憶されているプログラムまたは記憶部５７からＲＡＭにロードされたオペレーティングシステム（ＯＳ）を含む各種のアプリケーションプログラムや制御プログラムに従って各種の処理を実行するとともに、種々の制御信号を生成し、各部に供給することにより移動端末１を統括的に制御する。
【００１８】
移動端末１は、前述のとおり新規のアクセス方式と従来からのアクセス方式の２種類のアクセス方式によって通信を行うことが可能であり、送受信部５２、信号処理部５３は、両方式に対応している。
【００１９】
送受信部５２は、アンテナを介して図示しない基地局との間で、新規のアクセス方式もしくは従来からのアクセス方式で無線通信を行う。送受信部５２からの信号の送信時には、信号処理部５３にて生成された変調信号に基づいて、制御部５１から指示されるキャリア周波数の無線信号を生成し、アンテナから基地局へ電波を送信する。また基地局からの信号を受信する時には、アンテナによって受信した電波を電気信号に変換し、中間周波数信号にダウンコンバートした後、中間周波数信号に直交復調を行い、ベースバンド信号を出力する。
【００２０】
信号処理部５３は、ＤＳＰ（Digital Signal Processor）などによって構成される。信号処理部５３が送受信部５２よりベースバンド信号を受信したときには、ベースバンド信号に所定の信号処理を施し、所定の伝送フォーマットの受信パケットデータを得る。また、信号処理部５３がＣｏｄｅｃ部５４より符号化されたＰＣＭ符号化信号を受信すると、変調信号を生成し、送受信部５２に出力する。
【００２１】
Ｃｏｄｅｃ部５４は、信号処理部５３から受信したＰＣＭ信号を復号し、スピーカから出力する。また、マイクロホンから入力されたアナログ信号をＰＣＭ符号化し、信号処理部５３へ出力する。
【００２２】
表示部５５は、液晶ディスプレイなどによって構成され、制御部５１からの制御に従って、文字や画像を表示する。操作部５６は、例えば操作キー、タッチパネル、タッチセンサなどから構成され、ユーザの操作に応じた信号を制御部５１に入力する。記憶部５７は、例えば、電気的に書換えや消去が可能な不揮発性メモリであるフラッシュメモリ素子やＨＤＤ（Hard Disc Drive）などからなり、制御部５１のＣＰＵにより実行される種々の
アプリケーションプログラムや種々のデータ群、移動端末１の制御プログラムや制御データ、移動端末１またはユーザに固有に割り当てられた識別情報を格納する。電源制御部５８は、電池２の電圧を測定し、電池２から送出される電気エネルギーの電圧を制御する。
【００２３】
計時部は、現在の時刻を計時する。
【００２４】
以上のような構成の移動端末１の電源が切断されて、図１のような移動体通信システムから離脱した後、再度電源を投入された場合、移動端末１がアクセスエリアのどの場所に所在するかが分からない。このとき、移動端末１が、新規のアクセス方式で接続するアクセスエリアＡを探索したとしても、図１に示したようにアクセスエリアＡは範囲が狭いため、見つからない場合が多い。従来からのアクセス方式で展開されるアクセスエリアＢを探索する方が、より早く移動体通信システムに在圏復帰することができる可能性が高い。
【００２５】
そこで、制御部５１は、移動端末１が無線通信網からの切り離し（デタッチ）の処理を実施するときに、次回電源投入時に移動体通信システムへの接続を早く確立することができるよう、無線通信網選択に用いる直近使用無線通信網リスト（Most Recently Used：ＭＲＵ）を更新する処理を行う。
【００２６】
なお、ＭＲＵリストは、無線通信網との同期と待ち受けに必要な情報の受信が完了したタイミングで接続した無線通信網の情報を登録するリストであって、図３に示すように、ネットワーク情報（ネットワークＩＤ）、使用されるアクセス方式（アクセスシステム）、使用される周波数バンド情報、このアクセス方式が使用する中心周波数を登録することができる（非特許文献１参照）。ＭＲＵリストに登録される無線通信網情報は、リストの番号が小さいものほど上位であって、無線通信網選択の際、優先して選択される。また、ＭＲＵリストに登録される無線通信網情報には上限があり、ここではｎ個の無線通信網情報を登録することができるとする。
【００２７】
デタッチに伴ってＭＲＵリストの更新するときの処理について図４を用いて説明する。
【００２８】
制御部５１は、操作部５６を介して電源ＯＦＦのキー操作や移動体通信システムから切断するオフラインモードの選択操作が入力されたと判断すると、デタッチを実施する。
【００２９】
このとき、新規のアクセス方式によって待ち受けを行っているならば、制御部５１は、現在待ち受けを実施している新規のアクセス方式だけでなく、同期処理を行っている従来からのアクセス方式が存在するか否かを確認する（Ｓ１０１）。ここで、従来からのアクセス方式が存在しない場合には（Ｓ１０１のＮｏ）、ＭＲＵリストの更新処理を終了する。
【００３０】
同期を取っている従来からのアクセス方式が存在する場合には（Ｓ１０１のＹｅｓ）、制御部５１は、当該従来からのアクセス方式に関する情報とＭＲＵリストに登録されている情報とを比較し、一致する情報があるかどうかを判別する（Ｓ１０２）。なお、ここでの一致とは、ＭＲＵリストに登録されているネットワーク情報、使用されるアクセス方式、使用される周波数バンド情報、このアクセス方式が使用する中心周波数などの全ての情報が一致することを指す。
【００３１】
ステップＳ１０２で、同期を取っている従来からのアクセス方式に関する無線通信網情報がＭＲＵリストに登録されている無線通信網情報のうちの１つと一致する場合（Ｓ１０２のＹｅｓ）、制御部５１は、ＭＲＵリストに登録されている無線通信網情報のうち、同期を取っている従来からのアクセス方式に関する無線通信網情報と一致する無線通信網情報を、リストの先頭（MRU[0]）となるよう変更するとともに、ＭＲＵリストに記憶されているその他の無線通信網情報について、リスト番号が小さいものから順に、MRU[1]、MRU[2]・・・となるように、リスト番号の並び替えを行う（Ｓ１０３）。
【００３２】
例えば、ＭＲＵリストに図５（ａ）のような情報が登録されているときに、制御部５１は、ステップＳ１０２において、MRU[n-2]が、同期を取っている従来からのアクセス方式に関する無線通信網情報と一致すると判断した場合、図５（ｂ）のようにMRU[n-2]の無線通信網情報をMRU[0]とし、ＭＲＵリストに登録されたMRU[n-2]以外の情報を順に並べ替える。
【００３３】
一方、ステップＳ１０２において、同期を取っている従来からのアクセス方式に関する無線通信網情報が、ＭＲＵリストに登録されている無線通信網情報のどれとも一致しなかった場合（Ｓ１０２のＮｏ）、制御部５１は、同期を取っている従来からのアクセス方式に関する無線通信網情報をＭＲＵリストの最上位であるMRU[0]に登録するとともに、既にＭＲＵリストに登録されていた無線通信網情報についてリスト番号が小さいものから順に、MRU[1]、MRU[2]・・・となるように、リスト番号の並び替えを行う（Ｓ１０４）。また、ＭＲＵリストに新たな無線通信網情報を登録したことによってＭＲＵリストに記憶可能な制限を超えた場合には、リストの番号の並び替えによって最後の番号となった無線通信網情報を削除する。
【００３４】
例えば、ＭＲＵリストに図５（ａ）のような情報が登録されているときに、同期を取っている従来からのアクセス方式に関する無線通信網情報を新たに登録する場合、図５（ｃ）のように、最上位の位置に情報を追加する。
【００３５】
以上のようなＭＲＵリスト更新処理によって、新規のアクセス方式だけでなく従来からのアクセス方式とも同期を取っている場合には、従来からのアクセス方式をＭＲＵリストに登録することができる。
【００３６】
このＭＲＵリストを用いた無線通信網の選択処理のフローチャートを図６に示す。制御部５１は、操作部５６を介して電源の再投入操作やオフラインモードの解除操作が入力されたことを検出すると、無線通信網選択処理を開始する。まず、ＭＲＵリストのどの番号を有する無線通信網情報まで探索したのかを示す変数ｋを０に初期化する（Ｓ１３１）。
【００３７】
そして、MRU[k]に記憶されている情報を用いて無線通信網と接続できたか（ネットワークを取得できたか）否かを判定する（Ｓ１３２）。ネットワークを取得できた場合には（Ｓ１３２のＹｅｓ）、無線通信網選択処理を終了し、必要な待ち受け動作を開始する。それに対して無線通信網と接続できなかった（ネットワークを取得できなかった）場合であって、ＭＲＵリストにまだ参照していない情報が存在する場合には（Ｓ１３３のＮｏ）、変数ｋを１つインクリメントして、ステップＳ１３２からの処理を繰り返す。それに対して、ＭＲＵリストに登録された全ての無線通信網の情報を参照してもネットワークを取得することができなかった場合には（Ｓ１３３のＹｅｓ）、ＭＲＵリストによる無線通信網選択処理を終了し、圏外時の処理に移行する。圏外時の処理においては、端末の消費電力を抑えるべく、間欠的に、圏内復帰のための無線通信網探索が実施される。
【００３８】
このように、移動体通信システムへ再接続する場合には、ＭＲＵリストの上位を優先的に選択して無線通信網に接続する。そのため、デタッチを行うときに図４に示したような従来からのアクセス方式による無線通信網情報をＭＲＵリストの最上位に移動させる、もしくは新たに追加する処理を行うことによって、無線通信網へ再接続するときに、アクセスエリアの狭い新規のアクセス方式よりもアクセスエリアの広い従来からのアクセス方式を優先的に選択させ、電源投入から移動体通信システムへの接続までにかかる時間を短縮することができる。
【００３９】
なお、デタッチを行うときのＭＲＵの更新処理は、図４を用いて説明した上述の処理に限定されない。例えば、上述のＭＲＵの更新処理の説明では、ステップＳ１０３またはステップＳ１０４においてＭＲＵに登録された無線通信網情報の並べ替えを行うときに、更新前のＭＲＵリストでの更新前のリスト番号が小さいものから順となるようリスト番号の並び替えを行うとして説明したが、MRU[0]に登録する無線通信網情報のネットワークＩＤと同じネットワークＩＤを持つ無線通信網情報があれば、その無線通信網情報が上位（ただしMRU[1]以降）となるよう並べ替えても良い。このとき、MRU[0]に登録する無線通信網情報のネットワークＩＤと同じネットワークＩＤを持つ無線通信網情報が複数ある場合には、MRU[0]と異なるアクセス方式（アクセスシステム）のものの方が上位となるように並べ替える。
【００４０】
例えば、ＭＲＵリストに図７（ａ）のような情報が記憶されているときに、このＭＲＵリストには存在しない新たな無線通信網情報をMRU[0]に登録するとする。このMRU[0]に登録する無線通信網情報のネットワークＩＤがaaa/bbbであるならば、更新前のＭＲＵリス
トに含まれる無線通信網情報のうち、aaa/bbbというネットワークＩＤを有する無線通信
網情報を探索する。図７（ａ）の例では、更新前のMRU[0]およびMRU[n-2]が該当する。そこで、更新前のMRU[0]およびMRU[n-2]が上位となるようＭＲＵリストを更新する。ただし、新規に追加登録する無線通信網情報のアクセスシステムがcdma2000であるならば、これとは異なるアクセスシステムであるＬＴＥをアクセスシステムの情報として有する無線通信網情報をより優先するため、アクセスシステムがＬＴＥである更新前のMRU[0]の方がMRU[n-2]よりも上位となるように並べ替える。このような並べ替えの結果、図７（ｂ）のようなＭＲＵリストが得られる。
【００４１】
これによって、デタッチ処理時に同期をとっていた従来からのアクセス方式の無線通信網情報を最上位に登録するだけでなく、最上位に登録されている無線通信網情報と同じネットワークＩＤを有する無線通信網情報を上位に登録するため、無線通信網選択時に、最上位の無線通信網情報による無線通信網の接続に失敗したとしても、同じネットワークＩＤに属する無線通信網を優先的に探すことができるため、所望の無線通信網を選択することが可能となる。また、最上位に登録されている無線通信網情報と異なるアクセスシステムの無線通信網情報ほど優先させるため、最上位に従来からのアクセス方式の無線通信網情報が登録されたとしても、新規のアクセス方式の無線通信網の選択が遅れることがない。
【００４２】
また、上述の図４を用いたデタッチ時のＭＲＵリストの更新処理の説明では、待ち受け処理を行っている新規のアクセス方式に対してデタッチが実施されるのみであったが、同期処理を行っている従来からのアクセス方式についてもデタッチを実施しても良い。
【００４３】
図８は、同期処理を行っている従来からのアクセス方式についてもデタッチを実施する場合のＭＲＵ更新処理を示すフローチャートである。制御部５１は、操作部５６を介して電源ＯＦＦのキー操作や移動体通信システムから切断する、オフラインモードの選択操作が入力されたと判断すると、まず、新規のアクセス方式のデタッチ処理を開始する（Ｓ１５１）。そして、この新規のアクセス方式の無線通信網情報をＭＲＵリストの最上位へ登録する（Ｓ１５２）。もしくは、最上位に登録すべき新規のアクセス方式の無線通信網情報が、ＭＲＵリストに既に登録されていた場合には、当該無線通信網情報が最上位になるよう、ＭＲＵリストの順位を変える。
【００４４】
続いて、新規のアクセス方式によって待ち受け処理を行っていると同時に、従来のアクセス方式によって同期処理が行われていたかを判断する（Ｓ１５３）。従来からのアクセス方式によって同期処理が行われていた場合には（Ｓ１５３のＹｅｓ）、その従来からのアクセス方式についてもデタッチ処理を実施する（Ｓ１５４）。そして、その従来からのアクセス方式の無線通信網情報をＭＲＵリストの最上位へ登録する（Ｓ１５５）。もしくは、最上位に登録すべき従来からのアクセス方式の無線通信網情報が、ＭＲＵリストに既に登録されていた場合には、当該無線通信網情報が最上位になるよう、ＭＲＵリストの順位を変える。このステップＳ１５５の処理が行われることにより、ステップＳ１５２において最上位に設定された新規のアクセス方式の無線通信網情報が繰り下がり、MRU[1]に設定される。
【００４５】
このように、デタッチを契機にＭＲＵリストを更新するようにすれば、デタッチをそれぞれのアクセス方式に対して行わなければならない場合であっても、新規のアクセス方式の無線通信網情報だけでなく、従来からのアクセス方式の無線通信網情報もＭＲＵリストに自動的に追加することができる。そのため、無線通信網への再接続時には、この処理によって更新されたＭＲＵリストを用いて無線通信網選択を行うことによって、アクセスエリアが広いために接続の可能性が高い従来からのアクセス方式を最初に選択して無線通信網の接続を試みることができ、電源投入から移動体通信システム接続までの時間を短縮することができる。
【００４６】
なお、デタッチ時に従来からのアクセス方式による無線通信網情報を最上位に移動させる、もしくは新たに追加する処理を行うことによって更新されるＭＲＵリストは、移動体通信システムへ再接続するときの無線通信網の接続を試みる順序の判断以外にも用いることができる。例えば、ＭＲＵリストを用いることによって、圏外処理を行うときのサーチ頻度を変更することも可能である。
【００４７】
図９は、圏外処理時のサーチ間隔を設定する処理を示すフローチャートである。圏外処理のサーチ間隔を設定する処理を開始すると、制御部５１は、サーチ間隔の設定を行うアクセス方式の情報が、ＭＲＵリストの上位ｘ番目以内に存在するかを確認する（Ｓ１６１）。ｘは予め設定される値であって、最近使用したと判断できる程度の値に設定される。
【００４８】
ｘ＝１と設定された場合には、直近に使用されたアクセス方式であるかを判断することができる。ＭＲＵリストの上位ｘ番目以内に存在すると確認できた場合（Ｓ１６１のＹｅｓ）には、そのアクセス方式は最近使用したと判断できるため、そのアクセス方式のサーチ間隔は変更しない。それに対して、ＭＲＵリストのｘ番目以内に存在しない場合（Ｓ１６１のＮｏ）には、そのアクセス方式は最近使用していないと判断できるため、そのアクセス方式のサーチ間隔（あるサーチと次のサーチまでの時間）を長く設定して、そのアクセス方式のサーチの頻度を少なくする（Ｓ１６２）。
【００４９】
これによって、最近接続していないと判断されたアクセス方式についてはサーチを減らして、圏外時における効率的なサーチを行うことができ、消費電力の低減を図ることができる。
【００５０】
なお、圏外処理時のサーチ間隔決定は、サーチ間隔の設定を行うアクセス方式の情報がＭＲＵリストの上位から２番目、すなわちMRU[1]に存在するか否かに応じて行っても良い。これは、ＭＲＵリストの最上位、すなわちMRU[0]に存在する情報を用いたサーチは既に実行されていることに加え、ＭＲＵリストは過去の接続先の情報を最新の情報から順位づけられているため、上位から３番目（MRU[2]）や４番目（MRU[3]）の情報が現在時刻とはかけ離れた古い情報である可能性もあるためである。
【００５１】
また、ＭＲＵリストを用いて、あるアクセス方式で待ち受け処理を実行しているときに、他のアクセス方式のサーチを行うか否か判断することができる。例えば、図１０は、従来からのアクセス方式によって待ち受け処理を実行しているときに、新規のアクセス方式のサーチを実行するか否かを判断するための処理を示すフローチャートである。従来からのアクセス方式によって待ち受け処理を行っているときに、サーチ実施の判定処理が開始されると、制御部５１は、ＭＲＵリストの最上位を除いた上位ｙ番目までに新規のアクセス方式の無線通信網情報が記憶されているか否かを確認する（Ｓ１７１）。ただし、最上位の無線通信網情報は、現在待ち受け処理を行っているシステムの情報であるため、最上位は確認しなくても良い。また、ｙは予め設定される値であって、最近使用したと判断できる程度の値に設定される。ｙ＝１と設定された場合には、ＭＲＵリストの最上位を除いた上位１番目、すなわちMRU[1]の情報を確認し、新規のアクセス方式が直近に使用されたか否かを確認することができる。ＭＲＵリストの最上位を除いた上位ｙ番目以内に新規のアクセス方式の無線通信網情報が記憶されている場合（Ｓ１７１のＹｅｓ）、新規のアクセス方式のシステムサーチを実施する（Ｓ１７２）。
【００５２】
このようにＭＲＵリストを利用することによって、従来からのアクセス方式で待ち受け処理を行っているときに、新規のアクセス方式の存在を示す情報が報知されていない場合であっても、新規のアクセス方式が存在する可能性を適切に判断して、新規のアクセス方式のシステムサーチを実施することができる。
【００５３】
以上のように、本実施形態では、移動端末を移動体通信システムから切り離すデタッチ処理時に複数のシステムに接続または同期を取っていた場合に、回線交換方式サービスを提供している、アクセスエリアの広いアクセス方式の移動体通信網情報をＭＲＵに登録することによって、次回電源を再投入する場合に、移動体通信システムへの接続を早く確立することができる。
【実施例２】
【００５４】
本発明の第２の実施形態にかかる移動端末は、第１の実施形態で説明した構成と同じ構成を有し、第１の実施形態と同様に、複数のアクセス方式を使用することができる。なお、ここでは、新規のアクセス方式と回線交換方式の従来からのアクセス方式の２方式のアクセス方式を使用することができるものとして説明する。ただし、ＭＲＵリストは、新規のアクセス方式の無線通信網情報を登録するＭＲＵ１と従来からのアクセス方式の無線通信網情報を登録するＭＲＵ２との２つのＭＲＵリストを有する。つまり、ＭＲＵ１リストには、新規のアクセス方式の無線通信網情報だけが登録され、従来からのアクセス方式の無線通信網情報は登録されない。同様に、ＭＲＵ２リストには、従来からのアクセス方式の無線通信網情報だけが登録され、新規のアクセス方式の無線通信網情報は登録されない。なお、ＭＲＵ１リストとＭＲＵ２リストには、ネットワーク情報（ネットワークＩＤ）、使用されるアクセス方式（アクセスシステム）、使用される周波数バンド情報、アクセス方式が使用する中心周波数の情報が登録される（非特許文献１参照）。
【００５５】
図１１は、移動端末１がこのような２つのＭＲＵリストを有する場合のＭＲＵリストの更新処理を示すフローチャートである。
【００５６】
制御部５１は、操作部５６を介して電源ＯＦＦのキー操作や移動体通信システムから切断するオフラインモードの選択操作が入力されたと判断すると、デタッチを実施する。このとき、新規のアクセス方式によって待ち受けを行っているならば、制御部５１は、現在待ち受けを実施している新規のアクセス方式だけでなく、同期処理を行っている従来からのアクセス方式が存在するか否かを確認する（Ｓ２０１）。ここで、従来からのアクセス方式が存在しない場合とは（Ｓ２０１のＮｏ）、新規のアクセス方式のアクセスエリアだけで構成され、従来からのアクセス方式のセルが存在しない場合や、何らかの原因で従来からのアクセス方式との同期が取れなかった場合がある。この場合、従来からのアクセス方式の無線通信網情報を登録するリストであるＭＲＵ２の最上位の情報として”ＮＵＬＬ”を追加する（Ｓ２０５）。このように”ＮＵＬＬ”を追加することによって、この回の新規のアクセス方式に対するデタッチ実行時には、従来からのアクセス方式が存在しなかったという情報をＭＲＵ２リストから得ることができる。
【００５７】
一方、従来からのアクセス方式が存在する場合には（Ｓ２０１のＹｅｓ）、制御部５１は、当該従来からのアクセス方式に関する情報とＭＲＵ２リストに登録されている無線通信網情報とを比較し、一致する情報があるかどうかを判別する（Ｓ２０２）。なお、ここでの一致判定は、ＭＲＵ２リストに登録されているネットワーク情報、使用されるアクセスシステム、使用される周波数バンド情報、アクセスシステムが使用する中心周波数などの全ての情報が一致することをもって「一致」と判断する。
【００５８】
ステップＳ２０２で、同期を取っている従来からのアクセス方式に関する無線通信網情報がＭＲＵ２リストに登録されている無線通信網情報のうちの１つと一致する場合（Ｓ２０２のＹｅｓ）、制御部５１は、ＭＲＵ２リストに登録されている無線通信網情報のうち、同期を取っている従来からのアクセス方式に関する無線通信網情報と一致する無線通信網情報を、リストの先頭（MRU2[0]）となるよう変更するとともに、ＭＲＵ２リストに記
憶されているその他の無線通信網情報について、リスト番号が小さいものから順に、MRU2[1]、MRU2[2]・・・となるように、リスト番号の並び替えを行う（Ｓ２０３）。
【００５９】
一方、ステップＳ２０２において、同期を取っている従来からのアクセス方式に関する無線通信網情報が、ＭＲＵ２リストに登録されている無線通信網情報のどれとも一致しなかった場合（Ｓ２０２のＮｏ）、制御部５１は、同期を取っている従来からのアクセス方式に関する無線通信網情報をＭＲＵ２リストの最上位であるMRU2[0]に登録するとともに
、既にＭＲＵ２リストに登録されていた無線通信網情報についてリスト番号が小さいものから順に、MRU2[1]、MRU2[2]・・・となるように、リスト番号の並び替えを行う（Ｓ２０４）。また、ＭＲＵ２リストに新たな無線通信網情報を登録したことによってＭＲＵ２リストに記憶可能な制限を超えた場合には、リストの番号の並び替えによって最後の番号となった無線通信網情報を削除する。
【００６０】
このようなステップＳ２０１乃至ステップＳ２０５の処理によって、従来からのアクセス方式の無線通信網情報を登録するＭＲＵ２リストを更新することができる。
【００６１】
続いて、現在待ち受けを実施している新規のアクセス方式の無線通信網情報とＭＲＵ１リストに登録されている無線通信網情報とを比較し、一致する情報があるかどうかを判別する（Ｓ２０６）。なお、ここでの一致判定は、ＭＲＵ１リストに登録されているネットワーク情報、使用されるアクセスシステム、使用される周波数バンド情報、アクセスシステムが使用する中心周波数などの全ての情報が一致することをもって「一致」と判断する。
【００６２】
ステップＳ２０６で、待ち受けを実施している新規のアクセス方式に関する無線通信網情報がＭＲＵ１リストに登録されている無線通信網情報のうちの１つと一致する場合（Ｓ２０６のＹｅｓ）、制御部５１は、ＭＲＵ１リストに登録されている無線通信網情報のうち、待ち受けを実施している新規のアクセス方式に関する無線通信網情報と一致する無線通信網情報を、リストの先頭（MRU1[0]）となるよう変更するとともに、ＭＲＵ１リスト
に記憶されているその他の無線通信網情報について、リスト番号が小さいものから順に、MRU1[1]、MRU1[2]・・・となるように、リスト番号の並び替えを行う（Ｓ２０７）。
【００６３】
一方、ステップＳ２０６において、待ち受けを実施している新規のアクセス方式に関する無線通信網情報が、ＭＲＵ１リストに登録されている無線通信網情報のどれとも一致しなかった場合（Ｓ２０６のＮｏ）、制御部５１は、待ち受けを実施している新規のアクセス方式に関する無線通信網情報をＭＲＵ１リストの最上位であるMRU1[0]に登録するとと
もに、既にＭＲＵ１リストに登録されていた無線通信網情報についてリスト番号が小さいものから順に、MRU1[1]、MRU1[2]・・・となるように、リスト番号の並び替えを行う（Ｓ２０８）。また、ＭＲＵ１リストに新たな無線通信網情報を登録したことによってＭＲＵ１リストに記憶可能な制限を超えた場合には、リストの番号の並び替えによって最後の番号となった無線通信網情報を削除する。
【００６４】
このようなステップＳ２０６乃至ステップＳ２０８の処理によって、新規のアクセス方式の無線通信網情報を登録するＭＲＵ１リストを更新することができる。
【００６５】
以上の図１１に示した処理によって、デタッチ時のＭＲＵ１リストとＭＲＵ２リストの両方の更新が完了する。なお、図１１では、従来のアクセス方式に関する記憶情報を登録するＭＲＵ２リストの処理を先に実施し、新規のアクセス方式に関する記憶情報を登録するＭＲＵ１リストの処理を後で実施したが、これらの処理は順序を入れ替えて実施することも可能である。すなわち、図１１において、ステップＳ２０６乃至ステップＳ２０８の処理を先に実施し、この後でステップＳ２０１乃至ステップＳ２０５の処理を実施させることができる。
【００６６】
次に、このようなＭＲＵ１リストとＭＲＵ２リストを用いた無線通信網の選択処理について図１２を用いて説明する。複数のＭＲＵリストを有する移動端末１は、ＭＲＵリストに対して予め順位付けを行っておく。この順位は、アクセスエリアの広い、従来からのアクセス方式が上位となるよう設定される。そして、この順位をもとに、移動体通信システムへの再接続時の無線通信網の選択を行う。
【００６７】
制御部５１は、操作部５６を介して電源の再投入操作やオフラインモードの解除操作が入力されたことを検出すると、無線通信網選択処理を開始する。制御部５１は、まず、ＭＲＵリストのどの番号を有する無線通信網情報まで探索したのかを示す変数ｋを０に初期化する（Ｓ２３１）。そして、従来のアクセス方式のＭＲＵリストであるＭＲＵ２リストに登録されている情報のうち、変数ｋが指し示す情報として”ＮＵＬＬ”登録されているか否かを判定する（Ｓ２３２）。
【００６８】
”ＮＵＬＬ”が登録されていなければ（Ｓ２３２のＮｏ）、従来のアクセス方式のＭＲＵ２リストの変数ｋが指し示す無線通信網情報を用いて無線通信網への接続（ネットワークの取得）を試みる（Ｓ２３３）。
【００６９】
ここでネットワークの取得に成功した場合には（Ｓ２３３のＹｅｓ）、無線通信網の選択処理を終了し、必要な待ち受け動作を開始する。それに対して、ネットワークを取得できなかった場合や、そもそもMRU2[k]として登録された無線通信網情報が存在しなかった
場合（Ｓ２３３のＮｏ）、新規のアクセス方式のＭＲＵ１リストの変数ｋが指し示す無線通信網情報を用いてネットワークの取得を試みる（Ｓ２３４）。
【００７０】
ネットワークの取得に成功すると（Ｓ２３４のＹｅｓ）、無線通信網の選択処理を終了し、待ち受け動作を開始する。一方、新規のアクセス方式のＭＲＵ１リストを用いてもネットワークを取得できなかった場合や、そもそもMRU1[k]として登録された無線通信網情
報が存在しなかった場合（Ｓ２３４のＮｏ）、新規のアクセス方式のＭＲＵ１リストと従来からのアクセス方式のＭＲＵ２リストの両方に記憶されている全ての無線通信網情報の探索が終了したか否かを判断する（Ｓ２３５）。
【００７１】
終了していなければ（Ｓ２３５のＮｏ）、変数ｋを１つインクリメントして、ステップＳ２３３からの処理を繰り返す。ＭＲＵ１リストとＭＲＵ２リストの全ての無線通信網情報の探索が終了していれば（Ｓ２３５のＹｅｓ）、全てのＭＲＵリストを参照してもネットワークの取得が成功しなかったため、ＭＲＵリストを用いた無線通信網の選択を断念し、圏外時の処理に移行する。圏外時の処理においては、端末の消費電力を抑えるべく、間欠的に、圏内復帰のための無線通信網探索が実施される。
【００７２】
一方、ステップＳ２３２において、制御部５１が、ＭＲＵ２リスト中の変数ｋの指し示す無線通信網情報として”ＮＵＬＬ”が登録されている場合には、従来からのアクセス方式と同期を取っていなかったと判断でき、以降の処理ステップでは、従来のアクセス方式のＭＲＵ２リストの無線通信網情報を選択しない。そこで、まず、新規のアクセス方式のＭＲＵ１リストのｋ番目の無線通信網情報を参照して、この無線通信網情報を用いてネットワークの取得に成功するか否かを判断する（Ｓ２３７）。
【００７３】
ステップＳ２３７で、ネットワークの取得に成功した場合には（Ｓ２３７のＹｅｓ）、無線通信網の選択処理を終了し、待ち受け動作を開始する。それに対してステップＳ２３７でネットワークが取得できなかった場合や、そもそもMRU1[k]として登録された無線通
信網情報が存在しなかったような場合には（Ｓ２３７のＮｏ）、ＭＲＵ１リストに登録された全ての無線通信網情報を参照したか否かを判断する（Ｓ２３８）。
【００７４】
ＭＲＵ１リストに登録された無線通信網情報のうち、参照していないものがある場合には、（Ｓ２３８のＮｏ）、変数ｋを１つインクリメントし（Ｓ２３９）、ステップＳ２３７からの処理を繰り返す。一方、ＭＲＵ１リストに登録された全ての無線通信網情報を参照したが、ネットワークの取得に成功しなかった場合（Ｓ２３８のＹｅｓ）、ＭＲＵリストを用いた無線通信網の選択を断念し、圏外時の処理に以降する。
【００７５】
以上のようにＭＲＵ１リストとＭＲＵ２リストを更新する処理と、ＭＲＵ１リストとＭＲＵ２リストを用いて無線通信網の選択を行う処理を用いれば、従来からのアクセス方式によるＭＲＵ２リストに記憶された無線通信網情報を優先的に無線通信網の選択に用いることができる。これは、図１２のような無線通信網の選択処理において、ステップＳ２３３がステップＳ２３４よりも先に実行されることにより、新規のアクセス方式によるＭＲＵ１リストに記憶されたｋ番目の無線通信網情報と、従来からのアクセス方式によるＭＲＵ２リストに記憶されたｋ番目の無線通信網情報とを比較すると、従来からのアクセス方式によるＭＲＵ２リストに記憶された無線通信網情報を用いたネットワークの取得を先に行うためである。このように、移動体通信システムへの再接続時に広いアクセスエリアを有する従来からのアクセス方式を用いて無線通信網選択を行うことができ、ネットワークの再接続の指示が操作部５６を介して入力されてから移動体通信システムに接続するまでの時間を短縮することができる。
【００７６】
また、図１２に示した処理では、無線通信網選択に用いる順番を、MRU2[k]、MRU1[k]、MRU2[k+1]、MRU1[k+1]・・・というように、従来からのアクセス方式によるＭＲＵ２リストと新規のアクセス方式によるＭＲＵ１リストとを交互にしている。そのため、一方のアクセス方式が全く使用することができない環境において、使用することのできないアクセス方式の無線通信網情報ばかりを用いて無駄な無線通信網の選択操作が発生することを防ぎ、移動体通信システムに接続するまでの時間のロスを省くことができる。
【００７７】
さらに、このようなＭＲＵ１リストとＭＲＵ２リストを用いた無線通信網の選択処理をとることによって、今後、新規のアクセス方式のアクセスエリアが拡大されるとともに、従来からのアクセス方式のサービスが中止されるようなことが起こった場合であっても、ＭＲＵ２リストを更新時に最上位に”ＮＵＬＬ”を登録することによって、無線通信網の選択処理を行うときに、従来のアクセス方式を選択せずに、新規のアクセス方式のＭＲＵ１リストのみを用いた無線通信網の選択処理を行うことができる。このように、廃止される従来のアクセス方式のＭＲＵ２リストを無線通信網の選択に用いないよう設定することができるため、効率的な無線通信網の選択を実施することができる。
【００７８】
なお、本実施形態においても、デタッチを行うときのＭＲＵの更新処理は、図１１を用いて説明した処理に限定されない。第１の実施形態について説明したのと同様に、ＭＲＵリストの並べ替えを実施するときに、リストの最上位に登録された無線通信網情報のネットワークＩＤと同一のネットワークＩＤを有する無線通信網情報を上位となるよう並べ替えても良い。なお、ＭＲＵリストの最上位に登録されている無線通信網情報のネットワークＩＤと同一のネットワークＩＤを有する無線通信網情報が複数登録されている場合には、更新前のＭＲＵリストで上位に設定されていたものほど更新後のＭＲＵリストでも上位になるよう並べ替える。
【００７９】
また、本実施形態においても、待ち受けを行っている新規のアクセス方式のデタッチだけでなく同期処理を行っている従来からのアクセス方式についてもデタッチを実施しても良い。
【００８０】
図１３は、本実施形態のようなＭＲＵリストを複数有する移動端末１において、待ち受けを行っている新規のアクセス方式のデタッチのほかに同期処理を行っている従来からのアクセス方式についてもデタッチを実施する場合のＭＲＵ更新処理を示すフローチャートである。
【００８１】
制御部５１は、操作部５６を介して電源ＯＦＦのキー操作や移動体通信システムから切断するオフラインモードの選択操作が入力されたと判断すると、まず、新規のアクセス方式のデタッチ処理を開始する（Ｓ２５１）。そして、新規のアクセス方式の無線通信網情報をＭＲＵ１リストの最上位へ登録する処理を行う（Ｓ２５２）。もしくは最上位に登録すべき新規のアクセス方式の無線通信網情報が、ＭＲＵ１リストに既に登録されていた場合には、当該無線通信網情報が最上位になるよう、ＭＲＵ１リストの順位を変える。なお、ステップＳ１５２での処理は、図１１にて説明したステップＳ２０２乃至ステップＳ２０４の処理と同じ処理であるため、詳細な説明を省略する。
【００８２】
続いて、新規のアクセス方式によって待ち受け処理を行っていると同時に、従来のアクセス方式によって同期処理が行われていたかを判断する（Ｓ２５３）。従来からのアクセス方式によって同期処理が行われていた場合には（Ｓ２５３のＹｅｓ）、その従来からのアクセス方式についてもデタッチ処理を実施する（Ｓ２５４）。そして、その従来からのアクセス方式の無線通信網情報をＭＲＵ２リストの最上位へ登録する（Ｓ２５５）。もしくは、最上位に登録すべき従来からのアクセス方式の無線通信網情報が、ＭＲＵ２リストに既に登録されていた場合には、当該無線通信網情報が最上位になるよう、ＭＲＵ２リストの順位を変える。このステップＳ２５５での処理は、図１１にて説明したステップＳ２０６乃至ステップＳ２０８と同じ処理であるため、詳細な説明を省略する。
【００８３】
なお、ステップＳ２５３において、従来からのアクセス方式との同期が取れなかったと判断された場合（Ｓ２５３のＮｏ）、従来からのアクセス方式の情報を登録するリストであるＭＲＵ２の最上位の情報として”ＮＵＬＬ”を追加する（Ｓ２５６）。
【００８４】
ところで、図１３では、新規のアクセス方式へのデタッチとそれに伴うＭＲＵ１リストの登録処理を先に実施し、従来のアクセス方式へのデタッチとそれに伴うＭＲＵ２リストの登録処理を後に実施したが、これらの処理は順序を入れ替えて実施することも可能である。すなわち、図１３において、ステップＳ２５３乃至ステップＳ２５６の処理を先に実施し、この後でステップＳ２５１乃至ステップＳ２５２の処理を実施させることができる。
【００８５】
以上のような処理によって、デタッチをそれぞれのアクセス方式に対して行わなければならない場合であっても、新規のアクセス方式の無線通信網情報だけでなく、従来からのアクセス方式の無線通信網情報もＭＲＵリストに自動的に追加することができる。そのため、移動体通信システムへの再接続時に、よりアクセスエリアの広いアクセス方式を優先的に選択して、無線通信網の接続処理を行うことができる。
【００８６】
なお、上記実施形態に限定されることはなく、本発明の要旨を逸脱しない範囲において、適宜変更しても良い。例えば、上記実施形態では、移動端末が２つのアクセス方式を使用可能であるとして説明したが、３以上のアクセス方式を使用可能であっても良い。また、例えば、上記実施形態では、新規のアクセス方式によって待ち受け処理を行っているときに、従来からのアクセス方式によって同期処理を行っている状態での処理について説明したが、従来からのアクセス方式では、最低限同期処理を行っていれば良いのであって、同期処理だけでなく、待ち受け処理も行っていても良い。
【図面の簡単な説明】
【００８７】
【図１】新規のアクセス方式による通信を提供可能なアクセスエリアＡと従来からのアクセス方式による通信を提供可能なアクセスエリアＢの関係を示した図。
【図２】本発明の実施形態に係る移動端末の構成を示すブロック図。
【図３】本発明の実施形態に係る移動端末が記憶するＭＲＵリストの例。
【図４】本発明の実施形態に係る移動端末がデタッチに伴ってＭＲＵリストの更新するときの処理を示すフローチャート。
【図５】本発明の実施形態に係る移動端末のＭＲＵリストの順位を並べ替える例。
【図６】本発明の実施形態に係る移動端末のＭＲＵリストを用いた無線通信網の選択処理のフローチャート。
【図７】本発明の実施形態に係る移動端末のＭＲＵリストの順位を並べ替える例。
【図８】本発明の実施形態に係る移動端末が同期処理を行っている従来からのアクセス方式についてもデタッチを実施する場合のＭＲＵ更新処理を示すフローチャート。
【図９】本発明の実施形態に係る移動端末が圏外処理時のサーチ間隔を設定する処理を示すフローチャート。
【図１０】本発明の実施形態に係る移動端末が新規のアクセス方式の探索を実行するか否かを判断するための処理を示すフローチャート。
【図１１】本発明の実施形態に係る移動端末が２つのＭＲＵリストを有する場合のＭＲＵリストの更新処理を示すフローチャート。
【図１２】本発明の実施形態に係る移動端末が２つのＭＲＵリストを用いて行う無線通信網の選択処理を示すフローチャート。
【図１３】本発明の実施形態に係る移動端末が同期処理を行っているアクセス方式についてもデタッチを実施する場合のＭＲＵ更新処理を示すフローチャート。
【符号の説明】
【００８８】
１  移動端末、２  電池、５１  制御部、５２  送受信部、５３  信号処理部、５４  Ｃｏｄｅｃ部、５５  表示部、５６  操作部、５７  記憶部、５８  電源制御部
【図１】
2010081256.tif 000003
【図２】
2010081256.tif 000004
【図３】
2010081256.tif 000005
【図４】
2010081256.tif 000006
【図５】
2010081256.tif 000007
【図６】
2010081256.tif 000008
【図７】
2010081256.tif 000009
【図８】
2010081256.tif 000010
【図９】
2010081256.tif 000011
【図１０】
2010081256.tif 000012
【図１１】
2010081256.tif 000013
【図１２】
2010081256.tif 000014
【図１３】
2010081256.tif 000015